(57)【特許請求の範囲】
【請求項１】
本体ケース１の内部に、ディスク２が回転自在に収容されており、
本体ケース１の上下壁３・４には、それぞれの略中央部から前側の開放端面５の方向にわたって信号読み書き用の窓孔６が開口されており、
本体ケース１に、窓孔６を開閉するプラスチック製のシャッター７が上下壁３・４の各外表面上で左右方向に摺動自在に装着されているディスクカートリッジにおいて、
窓孔６の開放端面５側の上下壁３・４に、各上下壁３・４の外表面より低く落ち込む陥没壁部１５・１５が設けられ、この陥没壁部１５・１５に案内溝１６が左右方向にわたって設けられており、
本体ケース１の開放端面５の内部に、前記案内溝１６の左右方向に連続する案内レール１７が左右方向にわたって設けられており、
シャッター７が、本体ケース１の上下壁３・４の各外表面上を摺動する上下板７１ａ・７１ｂと、この上下板７１ａ・７１ｂの一端どうしをつないで前記開放端面５上を摺動する背板７１ｃとを有するシャッター本体７１、およびシャッター本体７１とは別体に形成されて背板７１ｃに取り付けられた突起体７２とからなり、
突起体７２は、背板７１ｃの外面上の左右方向中央部付近に重合固定された突起本体７２ａと、突起本体７２ａから突設されて背板７１ｃの孔７４からシャッター本体７１の内部に突入する抜止め片７３とを有しており、
上下壁３・４の陥没壁部１５・１５において、案内溝１６より前側の前方部位１５ａ・１５ａ間に空隙Ｓが形成されており、
抜止め片７３の先端に逆止爪７３ａを有し、抜止め片７３が陥没壁部１５・１５の前方部位１５ａ・１５ａ間の空隙Ｓ内に差し込まれて、逆止爪７３ａが前記案内溝１６および案内レール１７に前方抜け止め状にかつ摺動自在に係合しているディスクカートリッジ。  
【発明の詳細な説明】
【０００１】
【発明の属する技術分野】
本発明は、光ディスクや光磁気ディスク等の記録媒体であるディスクがハードケース内に回転自在に収容されているディスクカートリッジに関する。
【０００２】
【従来の技術】
この種のディスクカートリッジに特公平４−５９７０３号公報がある。そこでは、ディスクが収容される本体ケースの上下面に、外部からディスクに対して信号の読み書きが行えるように窓孔を設け、この窓孔が摺動式のシャッターにより開閉される。不使用時にシャッターが窓孔を閉じて塵埃や異物がディスクに付着するのを防止し、使用時にディスクドライブに装填するとシャッターがドライブ側の開閉操作部材で開かれ、ヘッドが窓孔に挿入する。
【０００３】
【発明が解決しようとする課題】
上記したディスクカートリッジでは、本体ケースに対してシャッターを抜け止め状態に摺動案内するために、本体ケースの外表面に案内溝を設け、この案内溝にシャッターに設けた抜止め爪が摺動自在に係合している。しかし、これではシャッターの閉じ状態時にも案内溝の一部が外部に露出状態にあるため、この案内溝が他物と接触して欠損したり、塵埃が溜まり易くて、シャッターの安定かつ円滑な摺動を損なう原因となり、また外観的にも見苦しいという難点があった。
【０００４】
そこで本発明の目的は、本体ケースに対しシャッターを安定かつ円滑に開閉摺動でき、しかも外観上体裁良く取り付けられるディスクカートリッジを提供することにある。本発明の目的は、シャッターの製造の簡易化を図れるディスクカートリッジを提供することにある。
【０００５】
【課題を解決するための手段】
本発明のディスクカートリッジは、本体ケース１の内部にディスク２が回転自在に収容され、本体ケース１の上下壁３・４にはそれぞれの略中央部から前側の開放端面５の方向にわたって信号読み書き用の窓孔６が開口されており、本体ケース１に前記窓孔６を開閉するプラスチック製のシャッター７が本体ケース１の上下壁３・４の各外表面上で左右方向に摺動自在に装着されている。
【０００６】
かかるディスクカートリッジにおいて、本発明では、窓孔６の開放端面５側の上下壁３・４に、各上下壁３・４の外表面より低く落ち込む陥没壁部１５を設け、この陥没壁部１５に案内溝１６を左右方向にわたって設ける。本体ケース１の開放端面５の内部に、前記案内溝１６の左右方向に連続する案内レール１７を左右方向にわたって設ける。シャッター７は、本体ケース１の上下壁３・４の各外表面上を摺動する上下板７１ａ・７１ｂと、この上下板７１ａ・７１ｂの一端どうしをつないで前記開放端面５上を摺動する背板７１ｃとを有するシャッター本体７１、およびシャッター本体７１とは別体に形成され、背板７１ｃに取り付けられた突起体７２とからなる。突起体７２は、背板７１ｃの外面上の左右方向中央部付近に重合固定された突起本体７２ａと、突起本体７２ａから突設されて背板７１ｃの孔７４からシャッター本体７１の内部に突入する抜止め片７３とを有する。そして抜止め片７３の先端に逆止爪７３ａを有し、この逆止爪７３ａが前記案内溝１６および案内レール１７に前方抜け止め状にかつ摺動自在に係合するものとなっている。
【０００７】
【作用】
本体ケース１の開放端面５の内部に案内レール１７を設け、この案内レール１７にシャッター７の抜止め片７３が抜け止め状に摺動係合しているので、本体ケース１に対するシャッター７の抜け止め規制と摺動案内とが本体ケース１内で行われ、かかる摺動案内部への塵埃堆積、他物の触れなどから防護できる。
【０００８】
シャッター７の背板７１ｃに設けた突起体７２は、ディスクドライブに装填したとき該ドライブ側の開閉操作部材と係合し、この係合作用でシャッター７が開く。このような抜止め片７３を持つ突起体７２を備えた複雑な形状のシャッター７も、突起体７２をシャッター本体７１とは別体に形成することでもって、シャッター本体７１はアンダーカット部の無いシンプルな形状に様変わりできて簡易に射出成形でき、また薄い金属板でプレス加工する場合も簡易に加工できる。
【０００９】
窓孔６の開放端面５側の上下壁３・４に設けた陥没壁部１５は、各上下壁３・４の外表面より低く落ち込ませてあるので、陥没壁部１５上にディスクドライブ側の信号読み書き用ヘッドが挿入するためのクリアランスを確保し得てディスクドライブ側のコンパクト化を実現できる。
【００１０】
【発明の実施の形態】
図１はディスクカートリッジの要部の内部平面図、図２は全体の平面図、図３は図２におけるＡ−Ａ線拡大断面図、図４はシャッターと案内レールとの関係を示す断面図、図５はディスクカートリッジの前端部をシャッターを外した状態で示す斜視図である。各図において、ディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなる。上ケース１ａの上壁３および下ケース１ｂの下壁４には、それぞれの略中央部から前側の開放端面５に向けて信号読み書き用の窓孔６を開口し、この窓孔６が左右方向に摺動するシャッター７で開閉自在に塞がれている。このディスクカートリッジはこれ全体のコンパクト化を図るために、図示例のように本体ケース１の左右幅寸法とディスク２の直径寸法とが可及的に接近して設定され、窓孔６の左右開口幅およびシャッター７の左右幅寸法が本体ケース１の左右幅寸法のほぼ１／３近くにまで大きく設定され、シャッター７の前後方向寸法は左右幅寸法よりも大きく設定されている。
【００１１】
図１および図５において、上ケース１ａは上壁３とこれの左右端に直角に連設した左右の側壁１２・１２とからなり、上壁３の略中央部から前端の左右方向中央部にわたって前記窓孔６が形成されている。上壁３の内面には、図１に示すごとくディスク２が前方へ遊動するのを規制するための位置規制リブ１４がディスク２の円周に沿う円弧状に一体に突設されている。窓孔６の前方に対応する上壁３には、ディスクドライブ側の信号読み書き用ヘッドが窓孔６に挿入するときのクリアランスを確保するために、図３および図５に示すごとく上壁３の外表面３ａより低く落ち込む陥没壁部１５が一体に形成され、この陥没壁部１５にシャッター７を左右方向に案内するための案内溝１６が左右方向全長にわたって形成されている。陥没壁部１５の案内溝１６より後方部位には平らな凸部１５ｂが形成されている。図４に示すように、上壁３の内面の前端には断面角形の案内レール１７が、前記陥没壁部１５の案内溝１６より前方部位１５ａの左右両側方に一体に連続して形成されている。
【００１２】
下ケース１ｂは上ケース１ａと対称に形成されていて、上ケース１ａの窓孔６に正対する窓孔６と、下壁４の外表面４ａより低く落ち込むよう形成されて上ケース１ａの陥没壁部１５の下面側に重合する陥没壁部１５と、上ケース１ａの案内レール１７に正対する案内レール１７と、上ケース１ａ側の位置規制リブ１４の下端に突き合わされる位置規制リブ１４とを有する。これら上下ケース１ａ・１ｂを突き合わせると、図３および図４に示すように両ケース１ａ・１ｂの陥没壁部１５・１５の凸部１５ｂ・１５ｂどうしが重合して、陥没壁部１５・１５の前方部位１５ａ・１５ａ間、および案内レール１７・１７間に空隙Ｓが形成される。
【００１３】
図３および図５においてシャッター７は、断面コ字形状に形成されたシャッター本体７１と、これとは別体に形成された突起体７２とからなる。シャッター本体７１は、上下壁３・４の各窓孔６を塞ぐように前後方向に長く左右方向に短い矩形状の上下板７１ａ・７１ｂと、これら上下板７１ａ・７１ｂの前端どうしをつなぐ背板７１ｃとを有する。突起体７２は直方体の突起本体７２ａと、この突起本体７２ａの一面から一体に突設した抜止め片７３とからなり、抜止め片７３の先端左右に、互いに上下逆向きの逆止爪７３ａ・７３ａが設けられる。突起体７２をシャッター本体７１に取り付けるには、突起体７２の抜止め片７３をシャッター本体７１の背板７１ｃの左右方向中央付近に開口した孔７４から上下板７１ａ・７１ｂ間の内部に挿入して、突起本体７２を背板７１ｃの外面上に重合固定する。
【００１４】
これらシャッター本体７１、突起体７２および抜止め片７３の全てを一体にプラスチック材で射出成形することは可能であるが、この場合は上下板７１ａ・７１ｂ間の内部に位置する抜止め片７３の逆止爪７３ａがアンダーカット部となるため、離型が困難である。その点、上記のようにシャッター本体７１と突起体７２とを互いに分離して個別に形成することにより、シャッター本体７１は断面コ字形状で上下板７１ａ・７１ｂと背板７１ｃからなるシンプルな形状となり、また突起体７２これ自体もシンプルな形状となるため、各々をＡＢＳ樹脂やＰＳ樹脂などで簡単に射出成形できる。また、シャッター本体７１はプレス加工で金属板を断面コ字形状に折り曲げて加工するにしても簡単に製作することができる。
【００１５】
上記のように突起体７１をシャッター本体７１に取り付けてなるシャッター７は、図３および図４に示すように、上下板７１ａ・７１ｂが上下壁３・４の各外面上に重合するとともに、抜止め片７３の逆止爪７３ａが陥没壁部１５・１５の凸部１５ｂ・１５ｂ間の空隙Ｓ内に差し込まれるように、本体ケース１の前側の開放端面５にこれの前側方から押し込み嵌合することにより、抜止め片７３の上向きの逆止爪７３ａは上ケース１ａの案内レール１７の内面側に、下向きの逆止爪７３ａは下ケース１ｂの案内レール１７の内面側にそれぞれ係合し、以てシャッター７が本体ケース１から前方へ抜け出ない状態となる。
【００１６】
図１および図５に示すように、シャッター７を閉じ位置に移動付勢するばね部材２０としては、左右２個のねじりコイルばねを採用し、また左右２個のスライダー２１を備えている。スライダー２１は工形に形成されていて、上下の案内レール１７・１７間の空隙Ｓ内を摺動するウェブ２１ａと、上下の案内レール１７・１７の内外面を摺動する内外フランジ２１ｂ・２１ｃとを有し、内フランジ２１ｂの外端面にばね掛け溝２４を設けてある。
【００１７】
左右の各ばね部材２０は、これの一方の腕部２０ａの先端を下壁４の内面における位置規制リブ１４より前方部位に突設した左右のピン２５にそれぞれ掛け止め、他方の腕部２０ｂの先端をスライダー２１のばね掛け溝２４に挿入係合する。これで左右の各スライダー２１はばね部材２０のばね作用で案内レール１７上を中央の陥没壁部１５の方向へ移動付勢されて、外フランジ２１ｃの内端面がシャッター７の背板７１ｃの左右端面に当接するか、またはウェブ２１ａないしは内フランジ２１ｂの内端面が抜止め片７３の外端面に当接することにより、シャッター７は窓孔６を塞ぐ中央の閉じ位置に保持される。
【００１８】
このようにシャッター７を取り付けたディスクカートリッジはディスクドライブに装填すると、該ドライブ側の開閉操作部材（図示せず）がシャッター７の突起体７２に係合し、この係合作用によりシャッター７が窓孔６を塞ぐ中央の閉じ位置から左側壁１２または右側壁１２に近接する位置にまで案内レール１７に沿ってばね部材２０の力に抗して上下壁３・４の各外表面上を摺動し、以て窓孔６が全開する。シャッター７の突起体７２に加えた押す力が解除されると、このシャッター７はばね部材２０の付勢力をスライダー２１を介して受けることで元の中央の閉じ位置に自動的に復帰移動して停止する。
【００１９】
シャッター７は抜止め片７３を有し、この抜止め片７３で案内レール１７に抜け止め状に支持してあるので、シャッター７は案内レール１７上をがたつくことなく安定よく摺動する。案内レール１７および抜止め片７３は本体ケース１の開放端面５の内部に収められていて、外部に露出することがない。従って、案内溝１６や案内レール１７が他物と接触して欠損を加えられたり、塵埃が溜まるのを防止できてシャッター７の円滑な案内摺動を確保する。抜止め片７３の先端左右に逆止爪７３ａを互いに上下逆向きに設けてあるので、シャッター７を摩擦抵抗少なく摺動させるために、また本体ケース１の開放端面５にこれの前側方から押し込み嵌合し易くするために、抜止め片７３と案内レール１７との間の上下に空隙Ｓを設けていても、抜止め片７３が案内レール１７から抜け出ることがなく、摩滅の偏りも無くなる。
【００２０】
【発明の効果】
本発明によれば、本体ケース１の開放端面５の内部に案内レール１７を設け、この案内レール１７にシャッター７の抜止め片７３を抜け止め状に摺動係合させてある。従って、本体ケース１に対するシャッター７の抜け止め規制と摺動案内とが本体ケース１内で行われ、かかる摺動案内部への塵埃堆積、他物の触れなどから防護できる。シャッター７の背板７１ｃに抜止め片７３を設け、この抜止め片７３で案内レール１７に抜け止め状に支持してあるので、シャッター７は案内レール１７に沿って左右方向にがたつきなく円滑に安定よく摺動する。
【００２１】
ディスクドライブに装填したとき該ドライブ側の開閉操作部材と係合する突起体７２および抜止め片７３を持つ複雑な形状のシャッター７も、突起体７２をシャッター本体７１とは別体に形成してあるので、シャッター本体７１はアンダーカット部の無いシンプルな形状に様変わりできて簡易に射出成形することができ、また薄い金属板でプレス加工する場合も簡易に加工できる。
【００２２】
窓孔６の開放端面５側の上下壁３・４に陥没壁部１５を設けてあるので、当該陥没壁部１５の上にディスクドライブ側の信号読み書き用ヘッドが挿入するためのクリアランスを確保することができてディスクドライブ側のコンパクト化を図れる。
【図面の簡単な説明】
【図１】ディスクカートリッジの前端一部の内部平面図である。
【図２】ディスクカートリッジ全体の平面図である。
【図３】図２におけるＡ−Ａ線拡大断面図である。
【図４】シャッターと案内レールとの関係を示す断面図である。
【図５】ディスクカートリッジの前端部をシャッターを外した状態で示す斜視図である。
【符号の説明】
１  本体ケース
２  ディスク
３  上壁
４  下壁
５  開放端面
６  窓孔
７  シャッター
１６  案内溝
１７  案内レール
７１  シャッター本体
７１ａ  シャッターの上板
７１ｂ  シャッターの下板
７１ｃ  シャッターの背板
７２  突起体
７３  抜止め片
７３ａ  逆止爪
７４  孔
【図１】
0003613300.tif 000002
【図２】
0003613300.tif 000003
【図３】
0003613300.tif 000004
【図４】
0003613300.tif 000005
【図５】
0003613300.tif 000006